(57)【特許請求の範囲】
【請求項１】
原稿の画像を読み取り画像データを出力する画像読取装置と前記画像読取装置から出力される画像データを入力する情報処理端末とを有する画像読取システムにおいて、前記画像読取装置に対し画像の読み取りを開始するよう指示し、該指示に基づき前記画像読取装置が画像を読み取り出力した画像データを受信する画像読取シーケンスによって画像読取処理を行う前記情報処理端末の制御方法であって、
前記画像読取装置の操作部から画像の読取指示がなされたか否かを確認する確認工程と、
前記確認工程により読取指示がなされたことを確認した場合に、前記画像読取装置に対し画像の読み取りを開始するよう指示することにより前記画像読取シーケンスによって画像読取処理を行う第１の画像読取工程と、
前記操作部からの画像の読取指示なしに前記画像読取装置に対し画像の読み取りを開始するよう指示することにより前記画像読取シーケンスによって画像読取処理を行う第２の画像読取工程とを有することを特徴とする情報処理端末の制御方法。
【請求項２】
画像読取用モジュールを呼び出す工程を更に有し、前記画像読取シーケンスは前記画像読取用モジュールによって制御することを特徴とする請求項１に記載の情報処理端末の制御方法。
【請求項３】
前記画像読取用モジュールは前記確認工程で画像の読取指示がなされたことを確認した場合に呼び出され、前記第１の画像読取工程で画像読取処理が行われることを特徴とする請求項２に記載の情報処理端末の制御方法。
【請求項４】
原稿の画像を読み取り画像データを出力する画像読取装置と前記画像読取装置から出力される画像データを入力する情報処理端末とを有する画像読取システムにおいて、前記情報処理端末が前記画像読取装置に対し画像の読み取りを開始するよう指示し、該指示に基づき前記画像読取装置が画像を読み取り出力した画像データを前記情報処理端末で受信する画像読取シーケンスによって画像読取処理を行う前記画像読取システムの制御方法であって、
前記画像読取装置の操作部から操作者による読取指示を入力する指示入力工程と、
前記情報処理端末からの指示により前記入力工程で入力された読取指示を確認する確認工程と、
前記確認工程において前記画像読取装置の操作部からの読取指示を確認した場合に、前記情報処理端末から前記画像読取装置に対し画像の読み取りを開始するよう指示することにより前記画像読取シーケンスを実行する第１の画像読取工程と、
前記入力工程による読取指示の入力なしに前記情報処理端末から前記画像読取装置に対し画像の読み取りを開始するよう指示することにより前記画像読取シーケンスを実行する第２の画像読取工程とを有することを特徴とする画像読取システムの制御方法。
【請求項５】
前記情報処理端末において画像読取用モジュールを呼び出す工程を更に有し、前記画像読取シーケンスは前記画像読取用モジュールによって制御されることを特徴とする請求項４に記載の画像読取システムの制御方法。
【請求項６】
前記画像読取用モジュールは前記確認工程で画像の読取指示がなされたことを確認した場合に呼び出され、前記第１の画像読取工程で画像読取処理が行われることを特徴とする請求項５に記載の画像読取システムの制御方法。
【請求項７】
前記画像読取装置は前記情報処理端末に情報を転送する場合、前記情報処理端末からのコマンドに対するレスポンスとして転送することを特徴とする請求項４乃至請求項６のいずれか一項に記載の画像読取システムの制御方法。
【請求項８】
原稿の画像を読み取り画像データを出力する画像読取装置と前記画像読取装置から出力される画像データを入力する情報処理端末とを有する画像読取システムにおいて、前記画像読取装置に対し画像の読み取りを開始するよう指示し、該指示に基づき前記画像読取装置が画像を読み取り出力した画像データを受信する画像読取シーケンスによって画像読取処理を行う前記情報処理端末を制御するプログラムを記録したコンピュータ読み取り可能な記録媒体であって、
前記画像読取装置の操作部から画像の読取指示がなされたか否かを確認する確認手順と、
前記確認手順により読取指示がなされたことを確認した場合に、前記画像読取装置に対し画像の読み取りを開始するよう指示することにより前記画像読取シーケンスによって画像読取処理を行う第１の画像読取手順と、
前記操作部からの画像の読取指示なしに前記画像読取装置に対し画像の読み取りを開始するよう指示することにより前記画像読取シーケンスによって画像読取処理を行う第２の画像読取手順とをコンピュータに実行させるためのプログラムを記録したコンピュータ読み取り可能な記録媒体。
【発明の詳細な説明】
【０００１】
【発明の属する技術分野】
本発明は、原稿の画像を読み取り画像データを出力する画像読取装置と前記画像読取装置から出力される画像データを入力する情報処理端末とを有する画像読取システム及び情報処理端末の制御方法に関するものである。
【０００２】
【従来の技術】
従来より、情報処理端末と画像読取装置とから構成される画像読取システムがある。この種の画像読取装置に画像読み取りを開始させるための指示は、情報処理端末からの操作で行なわれているが、画像読取装置をＬＡＮに接続し、複数の情報処理端末で画像読取装置を共有する形態を考慮した場合、通常、画像読取装置と情報処理端末とが物理的に離れた位置に設置されていることが想定される。このため、画像読み取りを開始させる指示を、画像読取装置から直接、行なえる手段が有用だと考えられている。
【０００３】
【発明が解決しようとする課題】
しかしながら、上記従来の場合のように、画像読み取りを開始する指示を画像読取装置と情報処理端末の両方から受け付けられるようにすると、画像読取装置の操作部からの読取指示に基づき画像読取処理を行わせる場合と画像読取装置の操作部からの指示なしに画像読取処理を行わせる場合とで画像読取シーケンスが異なってしまう、という問題がある。
【０００４】
本発明は上述のごとき問題点を除去するためになされたもので、画像読取装置の操作部からの読取指示に基づき画像読取処理を行わせる場合と画像読取装置の操作部からの指示なしに画像読取処理を行わせる場合とで画像読取シーケンスを共通化することを目的とする。
【０００５】
【課題を解決するための手段】
上記目的を達成するために、本発明は、原稿の画像を読み取り画像データを出力する画像読取装置と前記画像読取装置から出力される画像データを入力する情報処理端末とを有する画像読取システムにおいて、前記画像読取装置に対し画像の読み取りを開始するよう指示し、該指示に基づき前記画像読取装置が画像を読み取り出力した画像データを受信する画像読取シーケンスによって画像読取処理を行う前記情報処理端末の制御方法であって、前記画像読取装置の操作部から画像の読取指示がなされたか否かを確認する確認工程と、前記確認工程により読取指示がなされたことを確認した場合に、前記画像読取装置に対し画像の読み取りを開始するよう指示することにより前記画像読取シーケンスによって画像読取処理を行う第１の画像読取工程と、前記操作部からの画像の読取指示なしに前記画像読取装置に対し画像の読み取りを開始するよう指示することにより前記画像読取シーケンスによって画像読取処理を行う第２の画像読取工程とを有することを特徴とする。
【０００６】
また、本発明は、原稿の画像を読み取り画像データを出力する画像読取装置と前記画像読取装置から出力される画像データを入力する情報処理端末とを有する画像読取システムにおいて、前記情報処理端末が前記画像読取装置に対し画像の読み取りを開始するよう指示し、該指示に基づき前記画像読取装置が画像を読み取り出力した画像データを前記情報処理端末で受信する画像読取シーケンスによって画像読取処理を行う前記画像読取システムの制御方法であって、前記画像読取装置の操作部から操作者による読取指示を入力する指示入力工程と、前記情報処理端末からの指示により前記入力工程で入力された読取指示を確認する確認工程と、前記確認工程において前記画像読取装置の操作部からの読取指示を確認した場合に、前記情報処理端末から前記画像読取装置に対し画像の読み取りを開始するよう指示することにより前記画像読取シーケンスを実行する第１の画像読取工程と、前記入力工程による読取指示の入力なしに前記情報処理端末から前記画像読取装置に対し画像の読み取りを開始するよう指示することにより前記画像読取シーケンスを実行する第２の画像読取工程とを有することを特徴とする。
【０００７】
【発明の実施の形態】
以下、添付図面を参照して、本発明に係る実施の形態を詳細に説明する。
【０００８】
図１は、本発明の実施の形態に係る画像読取システムの概略構成を示す図である。同図において、画像読取装置（以下、スキャナという）１０１は、情報処理端末１０２との接続インターフェースを備える画像読取装置であり、シート状あるいはブック形態の原稿を光学的に読み取り、それを電気的な画像データに変換して、情報処理端末１０２に出力する。尚、このスキャナ１０１は、接続された情報処理端末１０２からの指示で原稿の読み取りを開始する。また、後述する操作部から利用者の指示を受け取る。
【０００９】
図２は、スキャナ１０１の内部構成を示すブロック図である。同図において、ＣＰＵ２０１はシステム制御部であり、システムバス２１１を介して本スキャナ１０１全体を制御する。ＲＯＭ２０２は、ＣＰＵ２０１の制御プログラムやオペレーティングシステム（ＯＳ）プログラム等を格納する。また、ＲＡＭ２０３は、例えば、ＳＲＡＭ等で構成され、プログラム制御変数等を格納する。すなわち、ＲＡＭ２０３には、オペレータが登録した設定値やシステムの管理データ等が格納され、各種ワーク用バッファとしても機能する。
【００１０】
画像メモリ２０４は、例えば、ＤＲＡＭ等で構成され、入力された画像データを蓄積する。本実施の形態では、ＲＯＭ２０２に格納されている各制御プログラムは、ＲＯＭ２０２に格納されたＯＳの管理下で、スケジューリングやタスクスイッチ等のソフトウェア制御を行なう。
【００１１】
操作部２０５は、各種キー、ＬＥＤ、ＬＣＤ等で構成され、オペレーティングによる各種入力操作や、画像読取システムの動作状況の表示等を行なう。
【００１２】
読取制御部２０６は、例えば、ＣＳイメージセンサや原稿搬送機構等によって構成される。この読取制御部２０６では、原稿上の画像をＣＳイメージセンサを用いて光学的に読み取り、それを電気的な画像データに変換する。変換後の画像データには、画像処理制御部２０７により、２値化処理、中間調処理等の各種画像処理が施され、結果として、高精細な画像データが出力される。そして、変換された画像データは、読取用復号化制御部２０８を介して、所定の符号化方式に従って符号化され、画像メモリ２０４に蓄積される。
【００１３】
Ｉ／Ｆ制御部２１０は、本スキャナ１０１の外部に接続する情報処理端末１０２とのインターフェース制御を行なう。尚、本実施の形態では、双方向セントロニクスインターフェース等のパラレルインターフェースに対応している。また、Ｉ／Ｆ用符号復号化処理部２０９は、インターフェースを介して外部の情報処理端末１０２へ画像データの転送を行なう際、画像メモリ２０４に蓄積されている画像の種類により、必要であれば、ここで必要な復号化／符号化の処理を行ない、情報処理端末１０２側へ画像データを流す。
【００１４】
情報処理端末１０２は汎用のパーソナルコンピュータであり、ＭＰＵ、ハードディスク、キーボード、ディスプレイ等を備えている。また情報処理端末２１２はスキャナ１０１の他にＬＡＮと接続することも可能であり、情報処理端末１０２を介すことにより、ＬＡＮ上の複数のクライアント端末がスキャナ１０１から入力される画像データを受け取ることができる。
【００１５】
情報処理端末１０２からスキャナ１０１へのリモート操作は、あらかじめ決められたコマンド・パラメータ・データ等を、Ｉ／Ｆ制御部２１０を介してスキャナ１０１に送信することにより行なわれる。
【００１６】
本実施の形態では、情報処理端末１０２とスキャナ１０１はＩＥＥＥ１２８４に準拠したプロトコルで、情報のやり取りを行なうものである。
【００１７】
また、このプロトコルの標準の仕様に従い、特別なチャネルを設けないので、原則としてスキャナ１０１との交信は情報処理端末１０２が主導権を握る。定義されている通知（ａｌｅｒｔ  ）を除いては、スキャナ１０１は自ら応答を情報処理端末２１２に送ることはない。スキャナ１０１が情報処理端末２１２へ応答を返す場合には、情報処理端末１０２からのメッセージに応答要求フラグ（ｒｅｐｌｙ  ｒｅｑｕｉｒｅｄ  ｆｌａｇ）が立っている必要がある。このフラグの状態により情報処理端末１０２はスキャナ１０１の状態（例えば操作部２０５の操作内容等）を認識することができる。
【００１８】
尚、本実施の形態では、情報処理端末１０２には、上述したリモート操作及びリモート操作要求を制御するためのアプリケーションソフト及びドライバソフトがハードディスクにインストールされている。
【００１９】
図３は、スキャナ１０１の操作部２０５の概略構成を示す図である。同図において、キー３０１は、原稿読み取りの開始を指示するキー、キー３０２は、原稿読み取りの開始を予約するためのキー、ＬＥＤ３０３は、原稿読み取りの開始予約状況を示すＬＥＤである。また、キー３０４は、原稿読み取り時の濃度を指定するキーである。
【００２０】
ＬＥＤ３０５，３０６，３０７は、キー３０４によって指定された原稿読み取り時の濃度を示すＬＥＤである。ここでは、キー３０４が押される度に、ＬＥＤ３０５→ＬＥＤ３０６→ＬＥＤ３０７→ＬＥＤ３０５→…の順に点灯する。
【００２１】
また、キー３０８は、原稿読み取り時に解像度を指定するためのキーであり、ＬＥＤ３０９，３１０，３１１は、キー３０８によって指定された原稿読み取り時の解像度を示すＬＥＤである。つまり、キー３０８が押される度に、ＬＥＤ３０９→ＬＥＤ３１０→ＬＥＤ３１１→ＬＥＤ３０９→…の順に点灯する。
【００２２】
上記のキー３０１及びキー３０２の操作が行なわれた場合、それが情報処理端末２１２へ通知される。ＬＥＤ３０３の点灯、消灯は、情報処理端末１０２から制御することができる。各キーはオペレータによるマニュアル操作により操作されるものである。
【００２３】
図４は、本実施の形態に係る情報処理端末１０２がスキャナ１０１を制御する際の手順を示すフローチャートである。
【００２４】
このフローチャートは、情報処理端末１０２のＭＰＵの管理下にあるハードディスクにインストールされたアプリケーションプログラムに基づきＭＰＵが実行する制御の流れを示すものである。
【００２５】
図４のステップＳ４０１において、現在、スキャナ１０１が原稿を読み取っているかどうかをチェックする。それが原稿読み取り中であれば、ステップＳ４０１の動作を繰り返し、原稿読み取り中でなければ、ステップＳ４０２に進む。ステップＳ４０２では、キー３０２（原稿読み取りの開始を予約するためのキー）の押下が通知されたかどうかをチェックする。ここで、キー３０２が押されたと判定されれば、ステップＳ４０３に進み、キー３０２が押されなかったならば、ステップＳ４０９に進む。
【００２６】
ステップＳ４０３では、スキャナ１０１の操作部２０５から画像読み取りが予約されたことを記憶し、それに対応してＬＥＤ３０３を点灯するようにスキャナ１０１に指示する。この時、情報処理端末１０２のキーボードからの読取指示は受け付けない。ステップＳ４０４において、キー３０１（原稿読み取りの開始を指示するキー）が押されたことの通知があったかどうかをチェックする。ここで、キー３０１の押下が通知された場合は、ステップＳ４０５に進み、キー３０１が押されなかったならば、ステップＳ４０４の処理を繰り返す。
【００２７】
ステップＳ４０５では、読み取らせるべき原稿がスキャナ１０１にセットされているかどうかをチェックする。原稿がセットされていれば、ステップＳ４０６に進み、それがセットされていないならば、ステップＳ４０８に進む。すなわち、ステップＳ４０６では、画像読取用のモジュールを呼び出し、原稿上の画像読み取りを開始するようにスキャナ１０１に指示する。そして、スキャナ１０１が原稿の画像を読み取って得た画像データを画像メモリ２０４から読み出し、情報処理端末１０２がＩ／Ｆ制御部２１０を介して受信し、ハードディスクの所定のエリアに記憶する。
【００２８】
ステップＳ４０７では、上述のステップＳ４０３で記憶した画像読み取り予約をキャンセルして、ＬＥＤ３０３を消灯するようにスキャナ１０１に指示する。一方、ステップＳ４０８においては、読み取るべき原稿がスキャナ１０１上にセットされていないことを、情報処理端末１０２のディスプレイに表示し、本情報処理端末の利用者に通知する。
【００２９】
また、ステップＳ４０２で、キー３０２が押下されていないと判断した場合、ステップＳ４０９において、キー３０１が押下されたかどうかをチェックする。ここで、キー３０１が押されたならば、ステップＳ４０５に進み、キー３０１が押されなかったならば、処理をステップＳ４１０に進める。
【００３０】
ステップＳ４１０では、情報処理端末１０２から画像読み取りを開始する指示を受け付けたかどうかをチェックする。画像読み取り開始指示を受け付けたならば、ステップＳ４０５に進み、原稿の有無の判断に入るが、画像読み取り開始指示を受け付けなかったならば、最初の処理、すなわち、ステップＳ４０１に戻る。
【００３１】
図５は、スキャナ１０１と情報処理端末１０２との間のデータの流れの模式図である。
【００３２】
本実施の形態において、スキャナ１０１と情報処理端末１０２とは、ＩＥＥＥ１２８４に基づいて情報の送受を行なっている。従って、全ての情報の送受は、情報処理端末１０２の発行するコマンドに対してスキャナ１０１がレスポンスを返すという手順で行なわれる。
【００３３】
情報処理端末１０２は予め決められた一定時間毎にスキャナ１０１の動作状況を問い合わせるコマンドを送信する（５０１）。スキャナ１０１は情報処理端末１０２からの指示に従って動作状況（例えば、Ｓ４０１の情報）を情報処理端末１０２に送信する（５０２）。
【００３４】
この動作状況はスキャナ１０１が画像メモリ２０４の所定エリアに情報を書き込み、この情報を情報処理端末１０２が確認する。
【００３５】
スキャナ１０１からのレスポンス（５０２）により、通知データがあることを確認すると、情報処理端末１０２は通知データ取得コマンド（５０３）により、スキャナ１０１からの更なる情報を取得する準備をする。
【００３６】
キー３０１及びキー３０２への操作はレスポンス（５０４）により、情報処理端末１０２へ通知される。キー３０１及びキー３０２への操作が行なわれた場合、スキャナ１０１は画像メモリ２０４に、キー操作を情報処理端末１０２へ通知するための、予め定められたデータを蓄積する。情報処理端末１０２は、スキャナ１０１の動作状況を問い合わせるコマンドを送信することで画像メモリ２０４にデータが蓄積されていることを知ることができるので、通知データ取得コマンド（５０３）で改めてデータを受け取るためのコマンドを発行し、キー操作が行なわれたことを知ることができる。尚、ここでは略したが、Ｓ４０５の確認等もコマンドとレスポンスにより行なっているものとする。
【００３７】
そして、オペレータが操作部２０５を操作した内容を確認すると、情報処理端末１０２は画像読取用のモジュールを呼び出し、スキャナ１０１の操作部２０５で設定されている内容に従って、原稿の読取を読取開始指示コマンドにより開始される。
【００３８】
そして、スキャナ１０１からの正常レスポンス（５０６）を確認すると、原稿を読み取って得た画像データを受け取るべくコマンド（５０７）を発行し、スキャナ１０１からの正常レスポンス（５０８）により画像データのアップロードを開始する。この画像データは情報処理端末１０２のハードディスク内の操作部２０５からオペレータに指定された（ユーザー毎に用意された）エリアに格納される。
【００３９】
以上説明したように、本実施の形態によれば、スキャナ１０１及び情報処理端末１０２の両方から、スキャナ１０１での画像読み取り動作を指示できるようにし、かつ、これらの指示を全て情報処理端末１０２にて管理することで、複数の利用者がスキャナ１０１を共有することができるとともに、複数の端末等からの読み取り開始指示が多重に行なわれるのを防ぐことができる。
【００４０】
また、画像読取のための操作を操作部２０５からの操作によってのみ行なえるようにしてもよい。つまり、原稿をスキャナ１０１のところまで持って行く必要があるため、その際に操作部２０５を操作することにより、煩雑さを招くことはなくなる。よって、原稿読取の起動を操作部２０５からのみ指示可能とし、実際の起動は情報処理端１０２からのコマンドに基づき開始することにより起動指示の衝突を防止し、更に情報処理端末側の処理を簡単にすることができる。
【００４１】
また、本実施の形態では、スキャナ１０１の操作部２０５からの操作内容は画像メモリ２０５の所定エリアに記憶しておき、情報処理端末がその内容を確認する構成としたので、ＩＥＥＥ１２８４の標準の仕様に従って特別なチャネルを設けなくともスキャナ１０１の状態を情報処理端末に通知することができる。
【００４２】
また、本実施形態では単体のスキャナを例に説明したが、これに限ることなくファクシミリ装置や複写機等でも良いことは言うまでもない。
【００４３】
尚、本発明は、上述した実施の形態に限定されず、以下のように変形しても、本発明の趣旨を逸脱することにはならない。
【００４４】
すなわち、上述した実施の形態において、画像読み取り予約を取り消す処理を行なう場合、図４に示すステップＳ４０４で、キー３０２が押されたことを通知されたならば、ステップＳ４０７に移行するよう制御することで、スキャナ予約の解除を行なうことができる。
【００４５】
また、上述した実施の形態において、図４に示すステップＳ４０４で、時間を計数し、あらかじめ定められた時間が経過するとステップＳ４０７に移行するように制御することで、画像読み取り予約をしたまま、その開始が指示されなかった場合に、自動的にスキャン予約を取り消すことができる。
【００４６】
更に、上述した実施の形態において、スキャナ１０１が、キー３０２が押されてからの経過時間を監視し、その経過時間を情報処理端末１０２へ通知するようにする。一方、図４に示すステップＳ４０４で、スキャナ１０１から通知された時間を監視し、あらかじめ定められた時間が経過すると、ステップＳ４０７に処理を移行するように制御することによっても、画像読み取り予約をしたまま、いつまでも画像読み取りの開始が指示されなかった場合に、自動的にスキャン予約を取り消すことができる。
【００４７】
尚、本発明は複数の機器（例えば、ホストコンピュータ，インターフェース機器，リーダ，プリンタなど）から構成されるシステムに適用しても、１つの機器からなる装置（例えば、複写機，ファクシミリ装置など）に適用しても良い。
【００４８】
また、本発明の目的は前述した実施形態の機能を実現するソフトウェアのプログラムコードを記録した記録媒体を、システム或いは装置に供給し、そのシステム或いは装置のコンピュータ（ＣＰＵ若しくはＭＰＵ）が記録媒体に格納されたプログラムコードを読出し実行することによっても、達成されることは言うまでもない。
【００４９】
この場合、記録媒体から読出されたプログラムコード自体が前述した実施形態の機能を実現することになり、そのプログラムコードを記憶した記録媒体は本発明を構成することになる。
【００５０】
このプログラムコードを供給するための記録媒体としては、例えばフロッピー（登録商標）ディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００５１】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部又は全部を行い、その処理によって前述した実施形態の機能が実現される場合も含まれることは言うまでもない。
【００５２】
更に、記録媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部又は全部を行い、その処理によって前述した実施形態の機能が実現される場合も含まれることは言うまでもない。
【００５３】
【発明の効果】
以上説明したように、本発明によれば、情報処理端末へ転送するための画像の読み取り指示を画像読取装置の操作で行なえ、その際の指示情報を情報処理端末に管理させることができ、画像読取システムを効率的に稼働させることが可能となる。
【００５４】
また、情報処理端末において、画像読取装置の操作部からの読取指示に基づき画像読取処理を行わせる場合と、画像読取装置の操作部からの指示なしに画像読取処理を行わせる場合とで、画像読取シーケンスを共通化したことにより、それぞれの画像読取処理のための画像読取シーケンスのためのプログラムをそれぞれ別個に設ける必要がなく、また画像読取装置側から能動的に画像データを情報処理端末に送出する構成も必要なく、システムの構成を簡略化することができ、システムを効率的に稼動させることができる。
【図面の簡単な説明】
【図１】本発明の実施の形態に係る画像読取システムの概略構成を示す図である。
【図２】実施の形態に係るスキャナ１０１の内部構成を示すブロック図である。
【図３】実施の形態に係るスキャナ１０１の操作部２０５の構成を示す図である。
【図４】情報処理端末１０２がスキャナ１０１を制御する際の制御手順を示すフローチャートである。
【図５】スキャナ１０１と情報処理端末１０２との間のデータの流れの模式図である。
【符号の説明】
１０１  画像読取装置
１０２  情報処理端末
２０１  ＣＰＵ
２０２  ＲＯＭ
２０３  ＲＡＭ
２０４  画像メモリ
２０５  操作部
２０６  読取制御部
２０７  画像処理制御部
２０８  読取用符号復号化処理部
２０９  Ｉ／Ｆ用符号復号化処理部
２１０  Ｉ／Ｆ制御部
２１１  システムバス
【図１】
0003581701.tif 000002
【図２】
0003581701.tif 000003
【図３】
0003581701.tif 000004
【図４】
0003581701.tif 000005
【図５】
0003581701.tif 000006